(57)【要約】【課題】  装置の高さを低く抑えて小型化するとともに、分離搬送に係る部品数を減らしてコストを抑えた画像読取装置を提供すること。【解決手段】  複数の原稿からなる原稿束Ｓを載置するプラテンガラス１と、プラテンガラス１上の原稿を読み取る読取手段５と、プラテンガラス５上の原稿を束ごと搬送する原稿端部挟持部材６と、原稿端部挟持部材６により搬送された原稿束から、画像の読み取りが終了した原稿を分離する分離ローラ７及び摩擦部材８とを有することを特徴とする画像読取装置を提供する。【選択図】  図１
2005244465.tif 000002
【特許請求の範囲】
【請求項１】
複数の原稿からなる原稿束を載置する透明台と、
前記透明台上の原稿を読み取る読取手段と、
前記透明台上の原稿を束ごと搬送する束搬送手段と、
前記束搬送手段により搬送された原稿束から、画像の読み取りが終了した原稿を分離する分離手段と、
を有することを特徴とする画像読取装置。
【請求項２】
前記束搬送手段は、前記透明台上に載置された原稿束の一端部を挟持して原稿束を前記分離手段に搬送することを特徴とする請求項１記載の画像読取装置。
【請求項３】
前記束搬送手段は、前記透明台上に載置された原稿束の一端部を突き当てる突当部材と、前記突当部材に突き当てられた原稿束を挟持する挟持部材とを有し、前記突当部材と前記挟持部材によって挟持された状態で原稿束を搬送することを特徴とする請求項２記載の画像読取装置。
【請求項４】
前記束搬送手段は、前記分離手段に近い側の一端部を挟持して搬送することを特徴とする請求項２記載の画像読取装置。
【請求項５】
前記束搬送手段は、前記透明台上に載置された原稿束の一端部を押し出すことで、原稿束を前記分離手段に搬送することを特徴とする請求項１記載の画像読取装置。
【請求項６】
前記束搬送手段は、前記透明台上に載置された原稿束の一端部を突き当てる突当部材と、他端部を押し出す押出部材とを有し、前記突当部材と前記押出部材に保持された状態で原稿束を搬送することを特徴とする請求項５記載の画像読取装置。
【請求項７】
前記束搬送手段は、前記分離手段から遠い側の一端部を押し出して搬送することを特徴とする請求項５記載の画像読取装置。
【請求項８】
前記読取手段は、前記原稿台上の原稿束の最下層の原稿の画像を読み取り、前記分離手段は、原稿束の最下層の原稿を分離することを特徴とする請求項１記載の画像読取装置。
【請求項９】
原稿の画像を読み取る際には原稿束を透明台に押圧し、原稿束を搬送する際には原稿束から離間する押圧手段を有することを特徴とする請求項１記載の画像読取装置。
【請求項１０】
前記分離手段により原稿が分離されたことを検知する検知手段を有し、
前記束搬送手段は、前記検知手段の検知結果に応じて、原稿束を前記透明台の所定位置に戻すことを特徴とする請求項１記載の画像読取装置。
【発明の詳細な説明】
【技術分野】
【０００１】
本発明は、複写機、ファクシミリ、スキャナ等に設けられ、原稿の画像を読み取る画像読取装置に関する。
【背景技術】
【０００２】
従来の画像読取装置においては、圧板の上方にＡＤＦ（Ａｕｔｏ  Ｄｏｃｕｍｅｎｔ  Ｆｅｅｄｅｒ）等の原稿給送装置を設け、順次搬送されてきた原稿の画像を読み取るものがあった（例えば、特許文献１参照。）。
【０００３】
この従来の構成においては、原稿の画像形成面が上向きとなるよう原稿積載トレイ上に原稿束がセットされ、原稿束を分離搬送手段によって１枚ずつ分離搬送し、原稿の画像形成面が画像読取位置において下向きとなるよう原稿を反転し、画像の読み取られた原稿を排紙するよう構成されている。
【特許文献１】特開２０００−５００２５号公報
【発明の開示】
【発明が解決しようとする課題】
【０００４】
しかしながら、上記従来例においては、圧板の上に高さのある原稿給送装置を設けており、装置が全体的に高くなり、大型化するという問題があった。また、ローラ等により構成されるの分離搬送手段の部品数が多く、コストが高いという問題があった。
【０００５】
上記問題を解決するため、本発明は、装置の高さを低く抑えて小型化するとともに、分離搬送に係る部品数を減らしてコストを抑えた画像読取装置の提供を目的とする。
【課題を解決するための手段】
【０００６】
上記目的を達成するため、本発明は、複数の原稿からなる原稿束を載置する透明台と、前記透明台上の原稿を読み取る読取手段と、前記透明台上の原稿を束ごと搬送する束搬送手段と、前記束搬送手段により搬送された原稿束から、画像の読み取りが終了した原稿を分離する分離手段と、を有することを特徴とする画像読取装置を提供するものである。
【発明の効果】
【０００７】
本発明によれば、複数の原稿からなる原稿束を載置する透明台と、透明台上の原稿を読み取る読取手段と、透明台上の原稿を束ごと搬送する束搬送手段と、束搬送手段により搬送された原稿束から、画像の読み取りが終了した原稿を分離する分離手段とを有することで、装置高さを低く抑えて小型化することができ、分離搬送に用いる部品数も少なくてすむため、コストを安くすることができる。
【発明を実施するための最良の形態】
【０００８】
第１の実施例について、図１から図８を参照して説明する。図１は、本発明を適用した第１のスキャナ装置の概略断面図である。図１において、１は複数枚の原稿（原稿束）Ｓを積載する透明なプラテンガラス、２は原稿束Ｓをプラテンガラス１上にセットする際、原稿束Ｓの一端部を突き当てて位置決めする略Ｌ字形の原稿端部突当部材、３は原稿端部突当部材２に原稿束Ｓが突き当てられたことを検知する原稿端部センサ、４は原稿束Ｓをプラテンガラス１に密着させるよう押圧する圧板、５はプラテンガラス１に沿って移動走査し、プラテンガラス１上に載置された原稿束Ｓにおける最下層の原稿の画像情報を読み取る読取手段、６は原稿束Ｓの一端部を上方から押圧し、原稿端部突当部材２と共に原稿束Ｓを挟持する原稿端部挟持部材、７は摩擦部材８と共働して原稿束Ｓから最下層の原稿を１枚ずつ分離搬送する分離ローラ、９は分離ローラ７によって分離搬送された原稿を収納する原稿排紙トレイ、１０は分離ローラ７によって分離搬送される原稿の他端部を検知する原稿排紙センサである。
【０００９】
次に、第１の実施例の動作について、図２から図８に沿って説明する。まず、ユーザが圧板４を開き、原稿束Ｓの一端部を原稿端部突当部材２に突き当てて、画像情報を読み取る面を下にしつつプラテンガラス１上にセットし、圧板４を閉じる（図２）。
【００１０】
ユーザが図示せぬ操作手段より読み取り開始動作を指示すると、読取手段５が矢印Ａ方向に移動しながら原稿束Ｓの最下層の原稿の画像情報を読み取る（図３）。
【００１１】
１枚目の画像情報の読み取りが終了すると、圧板４が上方に移動して原稿束Ｓへの押圧を解除すると共に、読取手段５が矢印Ｂ方向に戻りつつ原稿端部挟持部材６が回動し、原稿束Ｓの一端部を原稿端部突当部材２と共に挟持して、原稿束Ｓを矢印Ｃ方向へ移動させる（図４）。
【００１２】
原稿束Ｓの一端部が分離ローラ７へ到達すると、摩擦部材８が分離ローラ７へ押圧され、原稿端部挟持部材６が回動して原稿束Ｓの一端部を開放し、さらに原稿端部突当部材２と共に矢印Ｃ方向へ移動する（図５）。
【００１３】
分離ローラ７が回転し、摩擦部材８と共働して原稿束Ｓの最下層の原稿１枚を分離搬送し、原稿排紙トレイ９上に排紙する（図６）。
【００１４】
原稿排紙センサ１０によって最下層の原稿が原稿排紙トレイ９上へ完全に排紙されたことを検知すると、分離ローラ７に対する摩擦部材８の押圧が開放されると同時に分離ローラ７が逆転し、原稿端部突当部材２と原稿端部挟持部材６が矢印Ｄ方向へ戻りつつ、原稿端部突当部材２が再び原稿束Ｓの一端部をすくい上げて最初のセット位置まで押し戻す（図７）。
【００１５】
圧板４が下降して再び原稿束Ｓをプラテンガラス１上に押圧し、読取手段５が矢印Ａ方向に移動して次の原稿の画像情報を読み取る（図８）。
【００１６】
上記動作を、原稿束Ｓが全て読み取られ、原稿端部センサ３が原稿束Ｓを検知しなくなるまで繰り返す。このように、プラテンガラス１上にセットされた原稿束Ｓの、最下層の原稿束から１枚ずつ分離搬送する場合でも、原稿束Ｓを分離部まで移動させる構成とすることにより、読取領域を犠牲にすることなく分離搬送することが可能となる。
【００１７】
なお、原稿端部突当部材３の動作、圧板４の押圧及び解除、読取手段５の読み取り動作、原稿挟持部材６の動作、分離ローラ７及び摩擦部材８の分離動作等の制御は、不図示のＣＰＵにより行われる。
【００１８】
次に第２の実施例について、図９から図１６を参照して説明する。図９は、本発明を適用した第２のスキャナ装置の概略断面図である。図９において、１は複数枚の原稿（原稿束）Ｓを積載する透明なプラテンガラス、２は原稿束Ｓをプラテンガラス１上にセットする際、原稿束Ｓの一端部を突き当てて位置決めする略Ｌ字形の原稿端部突当部材、３は原稿端部突当部財２に原稿束Ｓが突き当てられたことを検知する原稿端部センサ、４は原稿束Ｓをプラテンガラス１に密着させるよう押圧する圧板、５はプラテンガラス１に沿って移動走査し、プラテンガラス１上に載置された原稿束Ｓにおける最下層の原稿の画像情報を読み取る読取手段、１１は原稿束Ｓの他端部を押し出す原稿端部押出部材、７は摩擦部材８と共働して原稿束Ｓから最下層の原稿を１枚ずつ分離搬送する分離ローラ、９は分離ローラ７によって分離搬送された原稿を収納する原稿排紙トレイ、１０は分離ローラ７によって分離搬送される原稿の他端部を検知する原稿排紙センサである。
【００１９】
次に、第２の実施例の動作について、図１０から図１６に沿って説明する。まず、ユーザが圧板４を開き、原稿束Ｓの一端部を原稿端部突当部材２に突き当てて、画像情報を読み取る面を下にしつつプラテンガラス１上にセットし、圧板４を閉じる（図１０）。
【００２０】
ユーザが図示せぬ操作手段より読み取り開始動作を指示すると、読取手段５が矢印Ａ方向に移動しながら原稿束Ｓの最下層の原稿の画像情報を読み取る（図１１）。
【００２１】
１枚目の画像情報の読み取りが終了すると、圧板４が上方に移動して原稿束Ｓへの押圧を解除すると共に、読取手段５が矢印Ｂ方向に戻りつつ原稿端部押出部材１１が稿束Ｓの他端部を押し出し、原稿端部突当部材２と共に原稿束Ｓを矢印Ｃ方向へ移動させる（図１２）。
【００２２】
原稿束Ｓの一端部が分離ローラ７へ到達すると原稿端部押出部材１１が停止し、摩擦部材８が分離ローラ７へ押圧され、原稿端部突当部材２はさらに矢印Ｃ方向へ移動する（図１３）。
【００２３】
分離ローラ７が回転し、摩擦部材８と共働して原稿束Ｓの最下層の原稿１枚を分離搬送し、原稿排紙トレイ９上に排紙する（図１４）。
【００２４】
原稿排紙センサ１０によって最下層の原稿が原稿排紙トレイ９上へ完全に排紙されたことを検知すると、分離ローラ７に対する摩擦部材８の押圧が開放されると同時に分離ローラ７が逆転し、原稿端部突当部材２と原稿端部押出部材１１が矢印Ｄ方向へ戻りつつ、原稿端部突当部材２が再び原稿束Ｓの一端部をすくい上げて最初のセット位置まで押し戻す（図１５）。
【００２５】
圧板４が下降して再び原稿束Ｓをプラテンガラス１上に押圧し、読取手段５が矢印Ａ方向に移動して次の原稿の画像情報を読み取る（図１６）。
【００２６】
上記動作を、原稿束Ｓが全て読み取られ、原稿端部センサ３が原稿束Ｓを検知しなくなるまで繰り返す。
【００２７】
なお、原稿端部突当部材３の動作、圧板４の押圧及び解除、読取手段５の読み取り動作、分離ローラ７及び摩擦部材８の分離動作、原稿端部押出部材１１の動作等の制御は、不図示のＣＰＵにより行われる。
【００２８】
なお、本画像読取装置を、複写機やファクスの画像読取装置として用い、読み取った原稿の画像を記録紙に形成するようにしてもよい。
【００２９】
また、本画像読取装置をネットワークに接続し、読み取った原稿の画像をネットワークに接続されたコンピュータに送信する、いわゆるネットワークスキャナとして用いてもよい。
【図面の簡単な説明】
【００３０】
【図１】第１の実施例に係るスキャナ装置の概略断面図である。
【図２】第１の実施例に係るスキャナ装置の動作を表す断面図である。
【図３】第１の実施例に係るスキャナ装置の動作を表す断面図である。
【図４】第１の実施例に係るスキャナ装置の動作を表す断面図である。
【図５】第１の実施例に係るスキャナ装置の動作を表す断面図である。
【図６】第１の実施例に係るスキャナ装置の動作を表す断面図である。
【図７】第１の実施例に係るスキャナ装置の動作を表す断面図である。
【図８】第１の実施例に係るスキャナ装置の動作を表す断面図である。
【図９】第２の実施例に係るスキャナ装置の概略断面図である。
【図１０】第２の実施例に係るスキャナ装置の動作を表す断面図である。
【図１１】第２の実施例に係るスキャナ装置の動作を表す断面図である。
【図１２】第２の実施例に係るスキャナ装置の動作を表す断面図である。
【図１３】第２の実施例に係るスキャナ装置の動作を表す断面図である。
【図１４】第２の実施例に係るスキャナ装置の動作を表す断面図である。
【図１５】第２の実施例に係るスキャナ装置の動作を表す断面図である。
【図１６】第２の実施例に係るスキャナ装置の動作を表す断面図である。
【符号の説明】
【００３１】
１  プラテンガラス
２  原稿端部突当部材
４  圧板
５  読取手段
６  原稿端部挟持部材
７  分離ローラ
８  摩擦部材
１１  原稿端部押出部材
【図１】
2005244465.tif 000003
【図２】
2005244465.tif 000004
【図３】
2005244465.tif 000005
【図４】
2005244465.tif 000006
【図５】
2005244465.tif 000007
【図６】
2005244465.tif 000008
【図７】
2005244465.tif 000009
【図８】
2005244465.tif 000010
【図９】
2005244465.tif 000011
【図１０】
2005244465.tif 000012
【図１１】
2005244465.tif 000013
【図１２】
2005244465.tif 000014
【図１３】
2005244465.tif 000015
【図１４】
2005244465.tif 000016
【図１５】
2005244465.tif 000017
【図１６】
2005244465.tif 000018